(57)【要約】      （修正有）【課題】特殊なタイミングコントローラや複数組の基準電圧供給源を用いることなく、カラー表示装置の各色の透過特性を個々に調節する。【解決手段】複数の基準電圧を生成する電圧発生器と、複数のデジタル信号を受け取り、基準電圧及び前記デジタル信号に従って複数のアナログ信号を生成する複数のデジタル／アナログ変換器とから構成される複数の出力電圧を有する駆動回路を提供する。【選択図】図４
2006133782.tif 000002
【特許請求の範囲】
【請求項１】
複数の出力電圧を有する駆動回路であって、
複数の基準電圧を生成するように構成された電圧発生器、および
複数のデジタル画像信号を受け取り、前記基準電圧および前記デジタル画像信号に従って複数のアナログ信号を生成するように構成された複数のデジタル／アナログ変換器、を有しており、
前記デジタル画像信号に相当して同じデジタルコードを使用している状況下において、前記デジタル／アナログ変換器に供給される基準電圧の値が、完全には同じでない駆動回路。
【請求項２】
前記デジタル画像信号を内部に保存するための複数のアドレスチャンネルを有しているデータラッチをさらに有している請求項１に記載の複数の出力電圧を有する駆動回路。
【請求項３】
タイミングパルス信号を受け取り、トリガ信号によってトリガされ、さらに前記デジタル画像信号を前記データラッチの前記アドレスチャンネルへと順次に届けるべく制御するように構成されたシフトレジスタをさらに有している請求項２に記載の複数の出力電圧を有する駆動回路。
【請求項４】
前記デジタル／アナログ変換器へと供給されるそれぞれの基準電圧の値が、色特性に応じて調節されている請求項１に記載の複数の出力電圧を有する駆動回路。
【請求項５】
前記それぞれの基準電圧の値が、赤色、緑色および青色の色特性に応じて調節されている請求項４に記載の複数の出力電圧を有する駆動回路。
【請求項６】
前記それぞれの基準電圧の値が、赤色、緑色、青色および白色の色特性に応じて調節されている請求項４に記載の複数の出力電圧を有する駆動回路。
【請求項７】
複数の出力電圧を有する駆動回路であって、
第１のデジタル／アナログ変換器、
第２のデジタル／アナログ変換器、および
第３のデジタル／アナログ変換器、を有しており、
前記デジタル／アナログ変換器が、複数の濃淡度基準電圧を受け取り、デジタル画像信号を変換して当該デジタル画像信号に応じた複数のアナログ信号を得るように構成されており、
前記第１のデジタル／アナログ変換器、前記第２のデジタル／アナログ変換器、および前記第３のデジタル／アナログ変換器が受け取るデジタル画像信号が同じであるとき、個々のそれぞれの濃淡度基準電圧に応じて、値が互いに完全に同一ではないアナログ信号が得られる駆動回路。
【請求項８】
前記濃淡度基準電圧を生成するための電圧発生器をさらに有している請求項７に記載の複数の出力電圧を有する駆動回路。
【請求項９】
前記濃淡度基準電圧が、当該駆動回路の外の外部の供給源によってもたらされる請求項７に記載の複数の出力電圧を有する駆動回路。
【請求項１０】
前記第１のデジタル／アナログ変換器、前記第２のデジタル／アナログ変換器、および前記第３のデジタル／アナログ変換器に供給される濃淡度基準電圧の組み合わせのうちの少なくとも２つが相違している請求項７に記載の複数の出力電圧を有する駆動回路。
【請求項１１】
前記第１のデジタル／アナログ変換器、前記第２のデジタル／アナログ変換器、および前記第３のデジタル／アナログ変換器に供給される濃淡度基準電圧の組み合わせが、色特性に応じて個々に調節されている請求項７に記載の複数の出力電圧を有する駆動回路。
【請求項１２】
前記それぞれの基準電圧の値が、赤色、緑色および青色の色特性に応じて調節されている請求項１１に記載の複数の出力電圧を有する駆動回路。
【請求項１３】
前記それぞれの基準電圧の値が、赤色、緑色、青色および白色の色特性に応じて調節されている請求項１１に記載の複数の出力電圧を有する駆動回路。
【請求項１４】
前記第１のデジタル／アナログ変換器、前記第２のデジタル／アナログ変換器、および前記第３のデジタル／アナログ変換器に供給される濃淡度基準電圧の組み合わせが、フィルタの特性に応じて個々に調節されている請求項７に記載の複数の出力電圧を有する駆動回路。
【請求項１５】
前記デジタル画像信号を内部に保存するための複数のアドレスチャンネルを有しているデータラッチをさらに有している請求項７に記載の複数の出力電圧を有する駆動回路。
【請求項１６】
タイミングパルス信号を受け取り、トリガ信号によってトリガされ、さらに前記デジタル画像信号を前記データラッチの前記アドレスチャンネルへと順次に届けるべく制御するように構成されたシフトレジスタをさらに有している請求項１５に記載の複数の出力電圧を有する駆動回路。
【請求項１７】
前記データラッチがフリップ‐フロップである請求項１５に記載の複数の出力電圧を有する駆動回路。
【請求項１８】
複数の出力電圧を有する駆動回路であって、
Ｎビットのデジタル信号である複数のデジタル信号を保存するための複数のアドレスチャンネルを有しているデータラッチ、および
前記複数のデジタル信号を受け取り、複数の基準電圧および前記デジタル信号に従って複数のアナログ信号を生成するように構成された複数のデジタル／アナログ変換器、を有しており、
前記基準電圧の数が、前記デジタル信号において考えられる組み合わせの数、すなわち２＾Ｎよりも多い駆動回路。
【請求項１９】
前記複数の基準電圧を生成するための電圧発生器をさらに有している請求項１８に記載の複数の出力電圧を有する駆動回路。
【請求項２０】
タイミングパルス信号を受け取り、トリガ信号によってトリガされ、さらに前記複数のデジタル信号を前記データラッチの前記アドレスチャンネルへと順次に届けるべく制御するように構成されたシフトレジスタをさらに有している請求項１８に記載の複数の出力電圧を有する駆動回路。
【請求項２１】
前記デジタル／アナログ変換器へと供給される前記それぞれの基準電圧の値が、当該複数の基準電圧を受け取る受け手装置の特性に応じて調節されている請求項１８に記載の複数の出力電圧を有する駆動回路。
【請求項２２】
表示装置用駆動回路であって、
デジタル画像信号を内部に保存するための複数のアドレスチャンネルを有しているデータラッチ、
前記デジタル画像信号を受け取り、複数の基準電圧および前記デジタル画像信号に従って複数のアナログ信号を生成するように構成された複数のデジタル／アナログ変換器、を有しており、
前記デジタル画像信号に相当して同じデジタルコードを使用している状況下において、前記デジタル／アナログ変換器に供給される基準電圧の値が、完全には同じでない表示装置用駆動回路。
【請求項２３】
前記基準電圧を生成するための電圧発生器をさらに有している請求項２２に記載の表示装置用駆動回路。
【請求項２４】
タイミングパルス信号を受け取り、トリガ信号によってトリガされ、さらに前記デジタル画像信号を前記データラッチの前記アドレスチャンネルへと順次に届けるべく制御するように構成されたシフトレジスタをさらに有している請求項２２に記載の表示装置用駆動回路。
【請求項２５】
前記デジタル／アナログ変換器に供給される前記それぞれの基準電圧の値が、色特性に応じて調節されている請求項２２に記載の表示装置用駆動回路。
【請求項２６】
前記それぞれの基準電圧の値が、赤色、緑色および青色の色特性に応じて調節されている請求項２５に記載の表示装置用駆動回路。
【請求項２７】
前記それぞれの基準電圧の値が、赤色、緑色、青色および白色の色特性に応じて調節されている請求項２５に記載の表示装置用駆動回路。
【請求項２８】
デジタル画像信号を受け取るステップ、および
複数の濃淡度基準電圧および前記デジタル画像信号に従って、前記デジタル画像信号を変換して複数のアナログ信号を得るステップ、を含んでおり、
前記デジタル画像信号に相当して同じデジタルコードを使用している状況下において、デジタル／アナログ変換器へと供給される複数の濃淡度基準電圧の値が、完全には同じでない駆動方法。
【請求項２９】
前記供給されるそれぞれの基準電圧が、色特性に応じて調節されている請求項２８に記載の駆動方法。
【請求項３０】
前記供給されるそれぞれの基準電圧が、赤色、緑色および青色の色特性に応じて調節されている請求項２８に記載の駆動方法。
【請求項３１】
前記供給されるそれぞれの基準電圧が、赤色、緑色、青色および白色の色特性に応じて調節されている請求項２８に記載の駆動方法。 
【発明の詳細な説明】
【技術分野】
【０００１】
本発明は、駆動回路および駆動方法に関し、特には、表示しようとする画像の特徴に合わせて濃淡度を独立に調節および補償するように構成されている駆動回路および駆動方法に関する。
【背景技術】
【０００２】
赤色、緑色および青色の透過特性を独立に調節するため、現在のところカラー表示装置は、システムによって入力された画像信号を計算および補償して、色収差を調節および補償するための種々の制御電圧を生むべく対応するデジタル画像信号をドライバへと生成するため、特別なタイミングコントローラを必要としている。
【０００３】
図１は、従来のカラー表示装置用ドライバを示した概略のブロック図である。ドライバ１００が、シフトレジスタ１１０およびデータラッチ１２０を備えている。シフトレジスタは、外部のタイミングコントローラによって供給されるタイミングパルス信号を受け取るとともに、トリガ信号によってトリガされるように構成されている。シフトレジスタは、デジタル画像データに対応しているデジタル画像信号を制御し、当該デジタル画像信号を、データラッチ１２０のそれぞれのアドレスチャンネルに順次に届ける。このデータラッチ１２０のデジタル画像データが、複数のデジタル／アナログ変換器１３０へと供給される。外部の電圧源が、ドライバ１００の各チャンネルのデジタル／アナログ変換器１３０へと基準電圧Ｖ１〜Ｖｎを供給しており、デジタル／アナログ変換器１３０は、これら基準電圧およびデータラッチ１２０によってもたらされるデジタル画像信号に従って、カラー表示パネル１５０へと出力するための複数のアナログ信号を変換する。カラー表示パネル１５０は、例えばＬＣＤディスプレイである。
【０００４】
ところで、通常のドライバ１００においては、各チャンネルのデジタル／アナログ変換器が使用する濃淡度基準電圧は、互いに同じである。したがって、同じデジタルデータが使用されている場合においては、各チャンネルにおいて生成されるアナログ信号は、互いに同じである。ＬＣＤディスプレイなど通常の表示装置においては、実質的に同じ電圧によって制御されたときに、生じる赤色、緑色および青色の濃淡度が互いに完全に同一ではなく、すなわち色収差として知られる現象が発生し、結果として表示品質に影響を及ぼす。図２は、図１による通常のドライバの従来からの２ビットのデジタル／アナログ変換器である。図２を参照すると、外部から供給される基準電圧Ｖ１、Ｖ２、Ｖ３およびＶ４が、複数のデジタル／アナログ変換器１３０によって使用されるように供給されている。同じデジタル画像信号Ｄ０およびＤ１が入力されるとき、それぞれのデジタル／アナログ変換器１３０は、図３に示すとおり同じアナログ信号Ｖ＿ｏｕｔを出力する。結果として、従来の表示装置は、赤色、緑色および青色の色特性を、個々の色に応じてそれぞれに調節することはできない。
【０００５】
色収差を補償する方法は、従来から提供されている。システムへの入力画像信号を計算および補償することによって、色補償込みの異なる出力電圧を生成するための対応するデジタル画像信号をドライバへともたらすことができ、赤色、緑色および青色の透過特性を、個々の色に応じて独立に調節することができる。他にも、色収差の問題を解決する方法が従来から提供されており、システムにおいて、より高解像度のドライバが使用されている。残念ながら、この２つの方法はいずれも、比較的複雑なだけでなく、比較的効率が悪く、高価でもある。
【発明の開示】
【発明が解決しようとする課題】
【０００６】
本発明は、出力電圧が個々に制御されてなる駆動回路、およびその駆動方法を提供する。画像信号を特別に処理する代わりに、本発明によって提供されるドライバは、カラー表示装置の各色の透過特性を個々に調節することができる。カラー表示装置の各色の透過特性を個々に調節するという目的を、前記した特殊なタイミングコントローラや複数組の基準電圧供給源を必要とせずに達成できる。したがって、複雑なシステムを単純化することができ、製造コストを低減することができる。
【０００７】
本発明によって提供される複数の出力電圧を有する駆動装置回路、およびその駆動方法によれば、同じデジタルコードを使用している状況のもとで、液晶の色特性またはフィルタの特性に応じて、ドライバの制御電圧を個々に調節することができ、濃淡度をさらに調節することができる。補償が行なわれた後には、より良好な色性能を実現することができる。したがって、表示品質が改善され、コストも低減される。
【課題を解決するための手段】
【０００８】
一実施形態において、本発明は、複数の出力電圧を有する駆動回路であって、電圧発生器および複数のデジタル／アナログ変換器を有している駆動回路を提供する。電圧発生器は、複数の濃淡度基準電圧を生成するように構成されている。デジタル／アナログ変換器はそれぞれ、供給された濃淡度基準電圧および受け取ったデジタル画像信号に従い、デジタル画像信号を変換して当該デジタル画像信号に対応する画像を表示するための複数のアナログ信号を得る。デジタル画像信号に相当して同じデジタルコードを使用している状況下において、デジタル／アナログ変換器に供給される複数の濃淡度基準電圧の値が、完全には同じでない。
【０００９】
複数の出力電圧を有している前記の駆動回路は、さらにデータラッチを備えており、このデータラッチが、デジタル画像信号を内部に保存するための複数のアドレスチャンネルを有している。
【００１０】
複数の出力電圧を有している前記の駆動回路は、タイミングパルス信号を受け取り、トリガ信号によってトリガされるシフトレジスタをさらに備えている。このシフトレジスタが、デジタル画像信号を制御し、データラッチのアドレスチャンネルに順次保存されるようにする。
【００１１】
複数の出力電圧を有している前記の駆動回路において、デジタル／アナログ変換器へと供給されるそれぞれの基準電圧の値が、色特性に応じて調節される。一実施形態によれば、それぞれの基準電圧の値が、赤色、緑色および青色の色特性に応じて調節されており、他の実施形態においては、赤色、緑色、青色および白色の色特性に応じて調節されている。
【００１２】
一実施形態において、本発明は、複数の出力電圧を有する駆動回路であって、少なくとも第１のデジタル／アナログ変換器、第２のデジタル／アナログ変換器、および第３のデジタル／アナログ変換器を備えている駆動回路を提供する。デジタル／アナログ変換器は、複数の濃淡度基準電圧を受け取り、デジタル画像信号を変換して、デジタル画像信号に応じた複数のアナログ信号を得る。第１のデジタル／アナログ変換器、第２のデジタル／アナログ変換器、および第３のデジタル／アナログ変換器が受け取るデジタル画像信号が同じであるとき、個々のそれぞれの濃淡度基準電圧に応じて、値が互いに完全に同一ではないアナログ信号を得ることができ、このアナログ信号によって、デジタル画像信号に対応する画像を表示することができる。
【００１３】
複数の出力電圧を有している前記の駆動回路は、さらに前記濃淡度基準電圧を生成するための電圧発生器を備えている。
【００１４】
複数の出力電圧を有している前記の駆動回路において、濃淡度基準電圧を、当該駆動回路の外の外部の供給源によって供給してもよい。
【００１５】
複数の出力電圧を有している前記の駆動回路において、第１のデジタル／アナログ変換器、第２のデジタル／アナログ変換器、および第３のデジタル／アナログ変換器に供給される前記濃淡度基準電圧の組み合わせのうちの少なくとも２つが相違している。
【００１６】
複数の出力電圧を有している前記の駆動回路において、第１のデジタル／アナログ変換器、第２のデジタル／アナログ変換器、および第３のデジタル／アナログ変換器に供給される前記濃淡度基準電圧の組み合わせが、色特性に応じて個々に調節されている。一実施形態によれば、それぞれの基準電圧の値が、赤色、緑色および青色の色特性に応じて調節されており、他の実施形態においては、それぞれの基準電圧の値が、赤色、緑色、青色および白色の色特性に応じて調節されている。
【００１７】
複数の出力電圧を有している前記の駆動回路において、第１のデジタル／アナログ変換器、第２のデジタル／アナログ変換器、および第３のデジタル／アナログ変換器に供給される前記濃淡度基準電圧の組み合わせが、フィルタの特性に応じて個々に調節されている。
【００１８】
複数の出力電圧を有している前記の駆動回路は、さらにデータラッチを備えており、このデータラッチが、デジタル画像信号を内部に保存するための複数のアドレスチャンネルを有している。
【００１９】
複数の出力電圧を有している前記の駆動回路は、タイミングパルス信号を受け取り、トリガ信号によってトリガされるシフトレジスタをさらに備えている。このシフトレジスタが、デジタル画像信号を制御し、データラッチのアドレスチャンネルに順次保存されるようにする。
【００２０】
一実施形態によれば、本発明は、データラッチおよび複数のデジタル／アナログ変換器を備えている表示装置用駆動回路を提供し、ここで、データラッチが、デジタル画像信号を内部に保存するための複数のアドレスチャンネルを有しており、複数のデジタル／アナログ変換器がそれぞれ、供給された濃淡度基準電圧および受け取ったデジタル画像信号に従い、デジタル画像信号を変換して当該デジタル画像信号に対応する画像を表示するための複数のアナログ信号を得るように構成されている。デジタル画像信号に相当して同じデジタルコードを使用している状況下において、デジタル／アナログ変換器に供給される複数の濃淡度基準電圧の値が、完全には同じでない。
【００２１】
前記の表示装置用駆動回路は、前記の濃淡度基準電圧を生成するための電圧発生器を、さらに備えている。
【００２２】
前記の表示装置用駆動回路は、タイミングパルス信号を受け取り、トリガ信号によってトリガされるシフトレジスタをさらに備えている。このシフトレジスタが、デジタル画像信号を制御し、データラッチのアドレスチャンネルに順次保存されるようにする。
【００２３】
前記の表示装置用駆動回路において、デジタル／アナログ変換器へと供給されるそれぞれの基準電圧の値が、色特性に応じて調節されている。一実施形態によれば、それぞれの基準電圧の値が、赤色、緑色および青色の色特性に応じて調節されており、他の実施形態においては、赤色、緑色、青色および白色の色特性に応じて調節されている。
【００２４】
一実施形態によれば、本発明は、デジタル画像信号を保存するステップ、および複数のデジタル／アナログ変換器が、供給された濃淡度基準電圧および受け取ったデジタル画像信号に従って、デジタル画像信号を変換して、デジタル画像信号に対応する画像を表示するための複数のアナログ信号を得るステップ、を含んでいる駆動方法を提供する。デジタル画像信号に相当して同じデジタルコードを使用している状況下において、デジタル／アナログ変換器へと供給される複数の濃淡度基準電圧の値が、完全には同じでない。
【発明の効果】
【００２５】
前記の駆動方法において、供給されるそれぞれの基準電圧の値が、色特性に応じて調節されている。一実施形態によれば、それぞれの基準電圧の値が、赤色、緑色および青色の色特性に応じて調節されており、他の実施形態においては、赤色、緑色、青色および白色の色特性に応じて調節されている。
【発明を実施するための最良の形態】
【００２６】
本発明は、出力電圧が個々に制御されてなる装置を有している駆動手段、およびその駆動方法を提供する。本発明の駆動手段およびその駆動方法は、画像信号を特別に処理する代わりに、赤色、緑色および青色を含むカラー表示装置の各色の透過特性を、個々に調節することができる。色収差の問題を、従来の設計において必要とされるような入力画像信号の計算および補償を行なうことなく解決でき、あるいはいずれも従来の技術を必要とするより解像度比の高いドライバなどの回路、特別なタイミングシーケンスコントローラ、または複数組の基準電圧供給源を使用することなく解決できる。カラー表示装置の各色の透過特性を個々に調節するという目的を、このようにして達成でき、結果として複雑なシステムを単純化することができ、したがって製造コストを低減することができる。
【００２７】
従来からのカラー表示装置用ドライバが、図１の概略のブロック図に示されている。しかしながら、カラー表示装置用ドライバは、本発明の実施形態においても設けられる。カラー表示装置用ドライバは、シフトレジスタおよびデータラッチを備えている。シフトレジスタは、外部のタイミングコントローラによって供給されるタイミングパルス信号を受け取るとともに、トリガ信号によってトリガされるように構成されている。シフトレジスタは、デジタル画像データに対応しているデジタル画像信号を制御し、当該デジタル画像信号を、データラッチのそれぞれのアドレスチャンネルに順次に届ける。データラッチは、デジタル画像データを、使用のために複数のデジタル／アナログ変換器へとそれぞれ供給する。デジタル／アナログ変換器は、供給されている基準電圧およびデータラッチによってもたらされるデジタル画像信号に従い、当該デジタル画像信号を変換して、カラー表示装置へと出力するための複数のアナログ信号を得る。カラー表示装置は、例えばＬＣＤディスプレイ、発光ダイオード（ＬＥＤ）表示装置、またはマトリクス式のドライバによって駆動される他の任意のディスプレイであり、そのような表示装置は、複数の画素をマトリクスに配置して有しており、受け取ったアナログ信号に応じたデジタル画像信号に対応して画像を表示する。この実施形態の一態様によれば、データラッチが、例えばフリップ‐フロップである。
【００２８】
複数の出力電圧を有している本発明の駆動手段およびその駆動方法の一実施形態によれば、同じデジタルコードを使用している状況のもとで、画素ごとの色特性またはフィルタの特性に応じて、ドライバの制御電圧を個々に調節することができ、濃淡度をさらに調節することが可能である。補償が行なわれた後には、より良好な色性能を実現することができる。したがって、表示品質が改善され、コストも低減される。
【００２９】
本発明は、図１に示した従来のドライバのデジタル／アナログ変換器の部分の改良を必要とする。図４は、本発明による２ビットのデジタル／アナログ変換器の一実施形態である。図４を参照すると、説明を簡単にするため、３つのデジタル／アナログ変換器４１０、４２０および４３０だけが、実施形態に従って備えられ、図示されている。しかしながら、特定の要件に合わせるべく使用されるデジタル／アナログ変換器がより多くても、より少なくてもよいことを、当業者であれば理解できるであろう。第１のデジタル／アナログ変換器４１０、第２のデジタル／アナログ変換器４２０、および第３のデジタル／アナログ変換器４３０のそれぞれが、デジタル画像信号Ｄ０およびＤ１を受け取り、それらデジタル画像信号Ｄ０およびＤ１に応じてカラー表示用のアナログ信号Ｖｒ＿ｏｕｔ、Ｖｇ＿ｏｕｔおよびＶｂ＿ｏｕｔを出力するように構成されている。
【００３０】
複数の出力電圧を有している本発明の駆動手段の一実施形態によれば、同じデジタルコードを使用している状況のもとで、画素ごとの色特性またはフィルタの特性に応じて、ドライバの制御電圧を個々に調節することができ、濃淡度をさらに調節することが可能である。この目的を達成するため、本発明の一実施形態は、より多くの濃淡度の基準電圧を提供している。図２に示すとおり、３つの従来からのデジタル／アナログ変換器が、２ビットのデジタルコードに対応しており、ただ４つの濃淡度の基準電圧Ｖ１、Ｖ２、Ｖ３およびＶ４が必要とされる。本発明の一実施形態によれば、デジタル／アナログ変換器に、多数の濃淡度の基準電圧Ｖ１、Ｖ２、Ｖ３、Ｖ４、Ｖ５、Ｖ６、Ｖ７およびＶ８が供給されている。しかしながら、本発明は、濃淡度の基準電圧の数を限定しようとするものではない。濃淡度の基準電圧の数が、デジタルコードのビット数の２乗冪（ここでは、２＾２＝２２＝４）よりも多ければ、本発明の技術的範囲の範疇である。例えば、６つの基準電圧Ｖ１、Ｖ２、Ｖ３、Ｖ４、Ｖ５およびＶ６を使用することも可能である。基準電圧は、電圧発生器４４０で生成でき、あるいはドライバの外部の装置によってもたらすことができる。電圧発生器４４０は、多数の濃淡度基準電圧を生成できる。
【００３１】
このような設計によれば、例えば、第１のデジタル／アナログ変換器４１０について、表示装置の光学的特性に応じて、濃淡度基準電圧Ｖ１、Ｖ２、Ｖ４およびＶ７が、第１のデジタル／アナログ変換器４１０へと供給される。デジタル画像信号のデジタルコードＤ０およびＤ１ならびに濃淡度基準電圧Ｖ１、Ｖ２、Ｖ４およびＶ７に従って、第１のデジタル／アナログ変換器４１０は、ＬＣＤディスプレイへとアナログ信号Ｖｒ＿ｏｕｔを出力する。同様に、第２のデジタル／アナログ変換器４２０には、表示装置の光学的特性に応じて、濃淡度基準電圧Ｖ１、Ｖ３、Ｖ５およびＶ７が別途供給される。デジタル画像信号のデジタルコードＤ０およびＤ１ならびに濃淡度基準電圧Ｖ１、Ｖ３、Ｖ５およびＶ７に従って、第２のデジタル／アナログ変換器４２０は、ＬＣＤディスプレイへとアナログ信号Ｖｇ＿ｏｕｔを出力する。第３のデジタル／アナログ変換器４３０には、表示装置の光学的特性に応じて、濃淡度基準電圧Ｖ１、Ｖ４、Ｖ６およびＶ８が供給される。デジタル画像信号のデジタルコードＤ０およびＤ１ならびに濃淡度基準電圧Ｖ１、Ｖ４、Ｖ６およびＶ８に従って、第３のデジタル／アナログ変換器４３０は、画像を表示するためカラー表示装置へとアナログ信号Ｖｂ＿ｏｕｔを出力する。
【産業上の利用可能性】
【００３２】
この実施形態の設計のような構成においては、画像信号を特別に処理する代わりに、出力電圧が個々に制御されてなる本発明のドライバによって、赤色、緑色、青色または白色などのカラー表示装置のあらゆる特定の色透過特性を、個々に調節することができる。カラー表示装置の各色の透過特性を個々に調節するという目的を、前述の特別なタイミングシーケンスコントローラなどの回路や、複数組の基準電圧供給源を必要とすることなく達成でき、したがって、複雑なシステムを単純化することができ、製造コストを低減することができる。
【００３３】
本発明の一実施形態によれば、複数の濃淡度基準電圧がＶ１、Ｖ２、Ｖ３、Ｖ４、Ｖ５、Ｖ６、Ｖ７およびＶ８であり、ここから濃淡度基準電圧の種々の組み合わせを選択することができる。デジタル／アナログ変換器の濃淡度も、カラー表示装置の特性に応じて、前もって個々に調節することができる。例えば、第１のデジタル／アナログ変換器４１０のための濃淡度基準電圧の組み合わせが、濃淡度基準電圧Ｖ１、Ｖ２、Ｖ４およびＶ７を含み、第２のデジタル／アナログ変換器４２０のための濃淡度基準電圧の組み合わせが、濃淡度基準電圧Ｖ１、Ｖ３、Ｖ５およびＶ７を含み、第３のデジタル／アナログ変換器４３０のための濃淡度基準電圧の組み合わせが、濃淡度基準電圧Ｖ１、Ｖ４、Ｖ６およびＶ８を含んでいる。図５に示すとおり、同じデジタルコードのデジタル画像信号Ｄ０およびＤ１が本発明のドライバに入力されたるとき、アナログ出力信号Ｖｒ＿ｏｕｔ、Ｖｇ＿ｏｕｔおよびＶｂ＿ｏｕｔは、表示される赤色、緑色および青色の濃淡度を個々に調節するため、同じにはならないであろう。デジタル／アナログ変換器の濃淡度を個々に調節するために考慮される個々の色の透過特性が、赤色、緑色および青色にもとづくものに限られるわけではなく、赤色、緑色、青色および白色にもとづくものであってもよく、あるいはさらに多くの色特性にもとづくものであってもよいことに、注意すべきである。
【００３４】
上述の本発明の好ましい実施形態について、特定の要件に適合させるべく他の変更または調節を加えることが可能である。本明細書の開示は、本発明の範囲を限定することなく本発明を例示するためのものである。すべての変更は、好ましい実施形態に開示した本発明を取り入れているならば、添付の特許請求の範囲、または特許請求の範囲に与えられる均等物の範囲に包含されると解釈される。
【００３５】
添付の図面は、本発明のさらなる理解をもたらすために備えられており、本明細書に組み込まれ、本明細書の一部を構成する。図面は、本発明の実施形態を示しており、以下の詳細な説明とともに、本発明の原理を説明するための役に立つ。
【図面の簡単な説明】
【００３６】
【図１】通常のカラー表示装置用ドライバを示した概略のブロック図である。
【図２】図１による通常のドライバの従来の単純な２ビットのデジタル／アナログ変換器を概略的に示した図である。
【図３】従来の２ビットのデジタル／アナログ変換器について、出力されるアナログ信号と入力された濃淡度との間の関係を概略的に示した図である。
【図４】本発明による２ビットのデジタル／アナログ変換器の一実施形態である。
【図５】本発明の２ビットのデジタル／アナログ変換器について、出力されるアナログ信号と入力された濃淡度との間の関係を概略的に示した図である。
【符号の説明】
【００３７】
１００ ドライバ
１１０ シフトレジスタ
１２０ データラッチ
１３０ アナログ変換器
１５０ カラー表示パネル
４１０ アナログ変換器
４２０ アナログ変換器
４３０ アナログ変換器
４４０ 電圧発生器 
【図１】
2006133782.tif 000003
【図２】
2006133782.tif 000004
【図３】
2006133782.tif 000005
【図４】
2006133782.tif 000006
【図５】
2006133782.tif 000007
【外国語明細書】
2006133782.tif 000008
2006133782.tif 000009
2006133782.tif 000010
2006133782.tif 000011
2006133782.tif 000012
2006133782.tif 000013
2006133782.tif 000014
2006133782.tif 000015
2006133782.tif 000016
2006133782.tif 000017
2006133782.tif 000018
2006133782.tif 000019
2006133782.tif 000020
2006133782.tif 000021
2006133782.tif 000022
2006133782.tif 000023
2006133782.tif 000024
2006133782.tif 000025
2006133782.tif 000026
2006133782.tif 000027
2006133782.tif 000028
2006133782.tif 000029
2006133782.tif 000030
2006133782.tif 000031
2006133782.tif 000032